【事件の表示】
　特願２０１４−１８０４５０「写真シール作成装置」拒絶査定不服審判事件〔平成２７年　２月　５日出願公開、特開２０１５−　２６０７８〕について、次のとおり審決する。
【結　論】
　本件審判の請求は、成り立たない。
【理　由】
１　手続の経緯
　本願は、平成２４年４月２４日（国内優先権主張：平成２４年２月９日）に出願した特願２０１２−９８７１６号の一部を平成２６年６月１８日に新たな特許出願とした特願２０１４−１２５７８０号の一部を平成２６年９月４日に新たな特許出願としたものであって、平成２６年９月３０日付けの拒絶理由の通知に対し、同年１１月２６日に意見書が提出されるとともに手続補正がなされたが、同年１２月２６日付けで拒絶査定がなされ、これに対して平成２７年４月３日に審判請求がなされたものである。
２　本願発明
　本願の請求項１〜５に係る発明は、平成２６年１１月２６日になされた手続補正によって補正された特許請求の範囲の請求項１〜５に記載された事項によりそれぞれ特定されるものであるところ、その請求項１に係る発明（以下「本願発明」という。）は次のとおりのものである。
「利用者を被写体として撮影し、得られた撮影画像に対して利用者に編集入力を行わせ、前記撮影画像を所定のシール紙に印刷する写真シール作成装置であって、
　ズームリングを回転させることで、カメラ本体の焦点距離を調整する回転部を有するカメラ部と、
　前記カメラ部とともに１つの筐体内に設けられ、利用者の顔付近を照射するカメラストロボと、
　前記筐体の下方に設けられ、利用者の足元を照射する足元ストロボと、
　前記カメラ部において、前記カメラ本体の焦点距離がズームインするように調整されて撮影が行われる場合、前記足元ストロボを発光させずに前記カメラストロボの発光を制御し、前記カメラ部において、前記カメラ本体の焦点距離がズームアウトするように調整されて撮影が行われる場合、前記カメラストロボおよび前記足元ストロボの発光を制御する制御部と
　を備える写真シール作成装置。」
３　引用例
（１）引用例１
ア　原査定の拒絶の理由で引用された、本願の優先日前に頒布された刊行物である特開２００３−１０７５７４号公報（以下「引用例１」という。）には、図とともに次の記載がある（下線は当審で付した。以下同じ。）。
（ア）「【特許請求の範囲】」、
「
撮影装置と、
前記撮影装置により撮影される被写体を異なる位置及び／又は方向から照明する複数の照明装置と、
画像情報を出力する出力装置と、
前記撮影装置及び前記照明装置を制御して撮影を行う制御部と、
前記制御部に接続され、
前記制御部への操作入力を行うことができる表示操作部と、
を備える撮影システム。
「
請求項１に記載の撮影システムにおいて、
前記制御部は、前記表示操作部により指定された撮影モードに応じて、制御の動作を変更すること、
を特徴とする撮影システム。
「
請求項１から請求項７までのいずれか１項に記載の撮影システムにおいて、
前記制御部が行う制御は、前記照明装置の内いずれの照明装置を使用するかの光源選択制御
を含むこと、
を特徴とする撮影システム。
「
請求項１から請求項１０までのいずれか１項に記載の撮影システムにおいて、
前記照明装置は、前記被写体の前方から光を照射する前部光源に加えて、
前記被写体の上方から光を照射する上部光源，前記被写体の後方から光を照射する背部光源，前記被写体の下方から光を照射する下部光源のうち、少なくとも１つを含むこと、
を特徴とする撮影システム。
（イ）「【発明の実施の形態】」、
「以下、図面等を参照しながら、本発明の実施の形態について、更に詳しく説明する。
（第１実施形態）図１は、本発明による撮影システムの第１実施形態の概要を示す透視図である。図２は、図１に示した撮影システムを、説明のために展開して示した図である。本実施形態における撮影システムは、撮影装置１０，前部光源２１〜２５，上部光源２６，背部光源２７，下部光源２８，処理装置３０，スピーカ６１，６２等を備え、側壁部８１，８２，背景部８３，天井部８４，床部８５，前壁部８６等を有した略箱状の筐体８０に囲まれ、不図示の出入り口から被写体となる人物が出入り可能になっている。」（段落【００２０】）、
「撮影装置１０は、いわゆるデジタルスチルカメラであり、処理装置と接続されている。」（段落【００２１】）、
「前部光源２１〜２５は、撮影装置１０及び処理装置３０のまわりに配置され、被写体の前方から照明を行う光源である。前部光源２１〜２５は、被写体の上下左右あらゆる箇所の照明の均一性を保持する役割を果たす。上部光源２６は、被写体の上方から照明を行う光源であり、被写体の髪の質感（いわゆるエンジェルリング）の表現を行い、前後左右の照明の均一性を保持し、更に、背面に生じる影を低減する役割を果たす。背部光源２７は、被写体の後方から照明を行う光源であり、背面に生じる影を低減する役割を果たす。下部光源２８は、被写体の下方から照明を行う光源であり、鼻の下や顎の下、及び、下半身に生ずる影を低減する役割を果たす。
前部光源２１〜２５，上部光源２６，背部光源２７，下部光源２８は、いずれも独立して処理装置３０により発光制御される閃光発光装置であり
「図３は、処理装置３０を中心として、撮影システム全体を示す制御ブロック図である。処理装置３０は、制御部３１，プリンタ３２，表示操作部３５，外部記憶装置３６〜４０等を有し、撮影システム全体を統合して各種処理を行う装置である。制御部３１は、撮影装置１０，照明装置２１〜２８，プリンタ３２，表示操作部３５，外部記憶装置３６〜４０，被写体センサ７０が接続され、これらの動作を統括して制御を行う部分であり、本実施形態では、パーソナルコンピュータを使用している。また、処理部３１は、撮影装置１０から得られた画像に対して画像処理を行い、被写体の位置及び動作を認識することも行える。したがって、処理部３１は、被写体センサ７０からの情報と、撮影装置１０から得られる画像から得られる情報とを合わせて、被写体の状態を検出する被写体状態検出装置としての機能も有している。」（段落【００２３】）、
「次に、本実施形態における撮影システムの動作について説明する。図６は、撮影システムの動作全体の概要を示すフローチャートである。ステップ（以下、Ｓとする）１０から動作を開始する。Ｓ２０では、利用者（＝被写体）が、利用したい機能を選択する。ここで、撮影システムが有する機能としては、利用者が持参した外部記憶媒体から画像データを読込んでプリントアウト等を行う機能と、
撮影装置１０を利用して証明写真，娯楽用の写真シール等を撮影する機能とが備わっている。
「・・・Ｓ７０では、
出力する画像に対して、画像加工処理を行う。ここで、画像加工処理には、
落書き、選択した模様をスタンプするように追加、画像の合成等も含んでいる。
「図７は、図６におけるＳ５０の撮影処理を更に詳しく示したフローチャートである。以下、図７を用いて、撮影処理に付いて説明を行う。Ｓ５０１から撮影処理を開始する。Ｓ５０２では、撮影モードの選択を行う。
本実施形態における撮影システムは、証明写真撮影モード、バストアップ撮影モード、全身撮影モード、及び、前述の各モードを組合わせ可能な組合わせモードを有している。Ｓ５０３では、Ｓ５０２において選択した撮影モードに応じて、利用者（被写体）に対して、
立ち位置の案内を行う。
「Ｓ５１０では、被写体の位置に応じて、撮影時に発光する光源と、発行時の光量を決定する。また、被写体センサ７０により得られた被写体の高さに応じて、上部光源２６の発光量の調整も行う。
図８は、全身撮影を行うときの被写体の立ち位置と構図を示す図である。全身撮影を行うときには、被写体は、撮影装置１０から離れた位置に立ち〔図８（ａ）〕、全身を収めた構図Ｆ１が得られる〔図８（ｂ）〕。図９は、図８に示す状態における照明装置の発光する位置を示す図である。図８に示す状態で撮影を行うときには、前部光源２１〜２５，上部光源２６，背部光源２７，下部光源２８の全てを発光する。
「
図１０は、バストアップ撮影を行うときの被写体の立ち位置と構図を示す図である。バストアップ撮影を行うときには、被写体は、撮影装置１０に近い位置に立ち〔図１０（ａ）〕、全身を収めた構図Ｆ２が得られる〔図１０（ｂ）〕。図１１は、図１０に示す状態における照明装置の発光する位置を示す図である。図１０に示す状態で撮影を行うときには、前部光源のうち、下方に設けられている前部光源２４，２５は、発光しない。これらの光源は、主に被写体の下部を照明する光源であり、バストアップの撮影では、必要ないからである。
（ウ）図８〜１１は次のとおりである。
（エ）段落【００３５】及び【００３６】（上記（イ））には、全身撮影を行うときには、被写体は、撮影装置１０から離れた位置に立ち、前部光源２１〜２５，上部光源２６，背部光源２７，下部光源２８の全てを発光し、バストアップ撮影を行うときには、被写体は、撮影装置１０に近い位置に立ち、前部光源のうち、下方に設けられている前部光源２４，２５は、主に被写体の下部を照明する光源であり、バストアップの撮影では、必要ないから、発光しない旨の記載があるところ、この発光制御については、【請求項８】に、「・・・前記制御部が行う制御は、前記照明装置の内いずれの照明装置を使用するかの光源選択制御・・・を含む・・・」との記載があることに照らせば、制御部によりなされているものと認められる。
イ　上記アの各事項によれば、引用例１には次の発明（以下「引用発明」という。）が記載されていると認められる。
「撮影装置と、
　前記撮影装置により撮影される被写体を異なる位置及び／又は方向から照明する複数の照明装置と、
　画像情報を出力する出力装置と、
　前記撮影装置及び前記照明装置を制御して撮影を行う制御部と、
　前記制御部に接続され、前記制御部への操作入力を行うことができる表示操作部と、
　を備える撮影システムであって、
　前記制御部は、前記表示操作部により指定された撮影モードに応じて、制御の動作を変更するものであり、
　前記制御部が行う制御は、前記照明装置の内いずれの照明装置を使用するかの光源選択制御を含み、
　前記照明装置は、前記被写体の前方から光を照射する前部光源に加えて、前記被写体の上方から光を照射する上部光源，前記被写体の後方から光を照射する背部光源，前記被写体の下方から光を照射する下部光源のうち、少なくとも１つを含み、
　撮影装置を利用して証明写真，娯楽用の写真シール等を撮影する機能とが備わっており、
　出力する画像に対して、落書き、選択した模様をスタンプするように追加、画像の合成等も含む画像加工処理を行うものであって、
　前部光源，上部光源，背部光源，下部光源は、いずれも独立して制御部により発光制御される閃光発光装置であり、
　撮影モードは、証明写真撮影モード、バストアップ撮影モード、全身撮影モード、及び、前述の各モードを組合わせ可能な組合わせモードを有しており、
　選択した撮影モードに応じて、利用者（被写体）に対して、立ち位置の案内を行うものであって、
　前記制御部は、全身撮影を行うときには、被写体は撮影装置から離れた位置に立ち、前部光源，上部光源，背部光源，下部光源の全てを発光し、バストアップ撮影を行うときには、被写体は撮影装置に近い位置に立ち、前部光源のうち、下方に設けられている前部光源は、主に被写体の下部を照明する光源であり、バストアップの撮影では、必要ないから、発光しないよう制御する、
　撮影システム。」
（２）引用例２
ア　原査定の拒絶の理由で引用された、本願の優先日前に頒布された刊行物である特開２００１−３１１９９３号公報（以下「引用例２」という。）には、図とともに次の記載がある。
（ア）「【発明が解決しようとする課題】」、
「
従来のフォトブース
これらのフォトブースは使用者が
ちょうどよい撮影ポジションへ体を移動させ
必要があるので、撮影が非常に面倒である
「本発明は、これらの課題を解消するべく、撮影に要する時間を少なくし得、できるだけ使用者に手間をかけずにスムーズに撮影を行うことが可能なフォトブースを提供することを課題とする。」（段落【０００５】）
（イ）「【発明の実施の形態】」、
「また、本実施形態のフォトブースにおける各カメラ１はその撮影焦点を合わせるためのズームイン又はズームアウトを行うことが可能となっている。このカメラ１のズームイン又はズームアウトについては、表示画面７において使用者の撮影する対象を顔だけにするか、上半身にするか、全体にするかなど撮影範囲の選択を使用者に対して促す選択画面が表示され、使用者がこの撮影範囲を選択することに応じて行われる。上述したような案内画像の表示、使用者の選択入力に基づくカメラの選択や移動などは記憶部１２に記憶されたズームイン又はズームアウトに関するデータをもとに制御部９の命令に従ってプログラムデータが実行されることにより行われる。」（段落【００２０】）
（ウ）「【発明の効果】」、
「
本発明によれば、使用者が自身の意思により撮影範囲を選択することが可能となるので、例えば、カメラをズームインさせて使用者の顔をズームアップさせた画像を撮影したり、また、カメラをズームアウトさせて使用者の全身の姿を撮影したりする
イ　上記アの各記載によれば、引用例２には次の事項が記載されていると認められる。
「従来のフォトブースでは、使用者がちょうどよい撮影ポジションへ体を移動させる必要があり、撮影が非常に面倒であったため、使用者が自身の意思により撮影範囲を選択することが可能とし、例えば、カメラをズームインさせて使用者の顔をズームアップさせた画像を撮影したり、また、カメラをズームアウトさせて使用者の全身の姿を撮影したりするようにしたもの。」
４　対比
（１）本願発明と引用発明とを以下に対比する。
ア　引用発明の「撮影装置を利用して証明写真，娯楽用の写真シール等を撮影する機能とが備わって」おり、「出力する画像に対して、落書き、選択した模様をスタンプするように追加、画像の合成等も含む画像加工処理を行うものであ」る「撮影システム」は、本願発明の「利用者を被写体として撮影し、得られた撮影画像に対して利用者に編集入力を行わせ、前記撮影画像を所定のシール紙に印刷する写真シール作成装置」に相当する。
イ　引用発明の「撮影装置」は、本願発明の「カメラ部」に相当する。
ウ　引用発明の「前部光源」は「閃光発光装置」であるから、本願発明の「ストロボ」であるといえる。
　そして、引用発明では、「全身撮影を行うときには、」「前部光源，上部光源，背部光源，下部光源の全てを発光し」、「バストアップ撮影を行うときには、」「前部光源のうち、下方に設けられている前部光源は、主に被写体の下部を照明する光源であり、バストアップの撮影では、必要ないから、発光しない」ものとされている。
　そうすると、引用発明の「前部光源」のうち、下方に設けられていないものは、被写体のバストアップを照明するための光源であると認められ、これが、本願発明の「利用者の顔付近を照射する」「ストロボ」を含むことは明らかである。
　さらに、引用発明の「下方に設けられている前部光源」は、「主に被写体の下部を照明する光源であり、バストアップの撮影では、必要ないから、発光しない」ものであるから、本願発明の「利用者の足元を照射する足元ストロボ」を含むことが明らかである。
エ　本願発明の「前記カメラ部において、前記カメラ本体の焦点距離がズームインするように調整されて撮影が行われる場合、前記足元ストロボを発光させずに前記カメラストロボの発光を制御し、前記カメラ部において、前記カメラ本体の焦点距離がズームアウトするように調整されて撮影が行われる場合、前記カメラストロボおよび前記足元ストロボの発光を制御する制御部」と、引用発明の「全身撮影を行うときには、被写体は、撮影装置から離れた位置に立ち、前部光源，上部光源，背部光源，下部光源の全てを発光し、バストアップ撮影を行うときには、被写体は、撮影装置に近い位置に立ち、前部光源のうち、下方に設けられている前部光源は、主に被写体の下部を照明する光源であり、バストアップの撮影では、必要ないから、発光しないよう制御する」「制御部」とは、第１の「場合、前記足元ストロボを発光させずに」利用者の顔付近を照射する「ストロボの発光を制御し」、第２の「場合、」利用者の顔付近を照射する「ストロボおよび前記足元ストロボの発光を制御する制御部」である点で一致する。
（２）上記（１）によれば、本願発明と引用発明とは、
「利用者を被写体として撮影し、得られた撮影画像に対して利用者に編集入力を行わせ、前記撮影画像を所定のシール紙に印刷する写真シール作成装置であって、
　カメラ部と、
　利用者の顔付近を照射するストロボと、
　利用者の足元を照射する足元ストロボと、
　第１の場合、前記足元ストロボを発光させずに利用者の顔付近を照射するストロボの発光を制御し、第２の場合、利用者の顔付近を照射するストロボおよび前記足元ストロボの発光を制御する制御部と
　を備える写真シール作成装置。」
である点で一致し、次の点で相違する。
［相違点１］
　本願発明では、利用者の顔付近を照射するストロボが「カメラ部とともに１つの筐体内に設けられ」た「カメラストロボ」であり、利用者の足元を照射する足元ストロボが「前記筐体の下方に設けられ」ているのに対し、引用発明では、そのような特定とはなっていない点。
［相違点２］
　本願発明では、第１の場合が「前記カメラ部において、前記カメラ本体の焦点距離がズームインするように調整されて撮影が行われる場合」であり、第２の場合が「前記カメラ部において、前記カメラ本体の焦点距離がズームアウトするように調整されて撮影が行われる場合」であるとともに、「カメラ部」が「ズームリングを回転させることで、カメラ本体の焦点距離を調整する回転部を有」しているのに対し、引用発明では、第１の場合が「バストアップ撮影を行う」場合であり、第２の場合が「全身撮影を行う」場合であり、また、撮影装置（本願発明の「カメラ部」に相当。）がズームするとはされていない点。
５　相違点の判断
　上記各［相違点］について検討する。
（１）［相違点１］について
ア　本願発明の「カメラストロボ」の意義とともに、本願発明において、利用者の顔付近を照射するストロボが「カメラ部とともに１つの筐体内に設けられ」た「カメラストロボ」である技術的意義、及び、利用者の足元を照射する足元ストロボが「前記筐体の下方に設けられ」ている技術的意義について検討する。
（ア）本願の明細書には、【発明を実施するための形態】として、次の記載がある。
ａ　カメラストロボに関する記載は次のとおりである。
「カメラ９１の背面側には、カメラストロボ９２が設けられ、カメラ９１は、カメラストロボ９２の表面側で上下方向に駆動（移動）するようになされている。カメラストロボ９２は、発光面を構成するアクリル板と、その背後に設けられる蛍光灯等の照明装置とから構成され、他のストロボと同様にカメラ９１による撮影に合わせて発光する。カメラストロボ９２においては、カメラ９１の上下方向の位置に応じて露出する部分が発光面となる。つまり、カメラストロボ９２は、カメラ９１の上下方向の位置に応じて、被写体としての利用者の顔付近をカメラ９１の上方または下方から照射する。」（段落【００５２】）、
「［撮影・表示ユニットの構成例］
　図５は、上下方向に駆動するカメラ９１を含む撮影・表示ユニット８１の詳細な構成例を示している。」（段落【００６４】）、
「図５Ａに示されるように、撮影・表示ユニット８１は、縦長の直方体の形状を有する筐体の一側面に、カメラ９１、カメラストロボ９２、およびタッチパネルモニタ９３が設けられることで構成される。カメラ９１およびカメラストロボ９２の周囲には、それらを囲うような額縁状のカバー９４が設けられており、カメラ９１は、カバー９４の開口部の範囲内で上下方向に駆動する。」（段落【００６５】）、
「図５Ｂは、図５Ａの状態から、タッチパネルモニタ９３およびカバー９４を取り外した撮影・表示ユニット８１を示している。図５Ｂに示されるように、カメラ９１は、カメラストロボ９２の発光面を構成するアクリル板９５と一体に構成されており、アクリル板９５は、カメラ９１とともに上下方向に駆動する。また、カメラ９１は、カメラ支持部９６によってその側面が支持されており、カメラ支持部９６に設けられたガイド溝に従って上下方向に駆動する。」（段落【００６６】）、
「図５Ｃは、図５Ｂの状態から、アクリル板９５を取り外した撮影・表示ユニット８１を示している。図５Ｃに示されるように、カメラ９１の背面上方には、カメラ上蛍光灯９７Ｕが設けられ、カメラ９１の背面下方には、カメラ下蛍光灯９７Ｄが設けられている。カメラ９１は、カメラストロボ９２を構成する照明装置としてのカメラ上蛍光灯９７Ｕおよびカメラ下蛍光灯９７Ｄと一体に構成されており、カメラ上蛍光灯９７Ｕおよびカメラ下蛍光灯９７Ｄは、カメラ９１とともに上下方向に駆動する。」（段落【００６７】）、
「つまり、図５Ａに示されるように、カメラ９１がカバー９４の開口部の下端に位置し、下カメラの状態となるとき、カメラ９１の上側のアクリル板９５が露出し、カメラ上蛍光灯９７Ｕが発光することで、カメラストロボ９２は、被写体としての利用者の顔付近をカメラ９１の上方から照射する。」（段落【００６８】）、
「また、図示はしないが、カメラ９１がカバー９４の開口部の上端に位置し、上カメラの状態となるとき、カメラ９１の下側のアクリル板９５が露出し、カメラ下蛍光灯９７Ｄが発光することで、カメラストロボ９２は、被写体としての利用者の顔付近をカメラ９１の下方から照射する。」（段落【００６９】）
ｂ　足元ストロボに関する記載は次のとおりである。
「本発明の一側面の写真シール作成装置は、利用者を被写体として撮影し、得られた撮影画像に対して利用者に編集入力を行わせ、前記撮影画像を所定のシール紙に印刷する写真シール作成装置であって、ズームリングを回転させることで、カメラ本体の焦点距離を調整する回転部を有するカメラ部と、前記カメラ部とともに１つの筐体内に設けられ、利用者の顔付近を照射するカメラストロボと、前記筐体の下方に設けられ、利用者の足元を照射する足元ストロボと、前記カメラ部において、前記カメラ本体の焦点距離がズームインするように調整されて撮影が行われる場合、前記足元ストロボを発光させずに前記カメラストロボの発光を制御し、前記カメラ部において、前記カメラ本体の焦点距離がズームアウトするように調整されて撮影が行われる場合、前記カメラストロボおよび前記足元ストロボの発光を制御する制御部とを備える。」（段落【００１３】）、
「本発明においては、ズームリングを回転させることで、カメラ本体の焦点距離を調整する回転部を有するカメラ部と、カメラ部とともに１つの筐体内に設けられ、利用者の顔付近を照射するカメラストロボと、筐体の下方に設けられ、利用者の足元を照射する足元ストロボとが設けられ、カメラ部において、カメラ本体の焦点距離がズームインするように調整されて撮影が行われる場合、足元ストロボを発光させずにカメラストロボの発光が制御され、カメラ部において、カメラ本体の焦点距離がズームアウトするように調整されて撮影が行われる場合、カメラストロボおよび足元ストロボの発光が制御される。」（段落【００１８】）、
「［撮影部の構成］
　図４は、撮影部２１の構成例を示す図である。撮影部２１は、正面パネル４１、側面パネル４２Ａ、および側面パネル４２Ｂが、箱状の形状を有するベース部４３に取り付けられることによって構成される。」（段落【００４８】）、
「正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。」（段落【００５４】）、
「ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。各蛍光灯の発光量が調整されることによって、または、発光させる蛍光灯の数が調整されることによって、撮影空間Ａ１内の明るさが、利用者が行っている撮影作業の内容に応じて適宜調整される。」（段落【００５６】）、
「また、上カメラ位置および下カメラ位置を含むカメラ９１の上下位置や、その上下位置に応じたカメラ９１の焦点距離に応じて、照明装置２２２（ストロボ）の発光を制御するようにしてもよい。」（段落【０２５２】）、
「具体的には、例えば、カメラ９１の上下位置が上カメラ位置で、ズームアウトするように焦点距離が調整されている場合、すなわち、上カメラ全身撮影が行われる場合には、利用者の全身（顔から足元まで）が照射されるように、発光させるストロボの数や位置が制御される。また、カメラ９１の上下位置が下カメラ位置で、ズームインするように焦点距離が調整されている場合、すなわち、下カメラアップ撮影が行われる場合には、利用者の顔付近が照射されるように、発光させるストロボの数や位置が制御される。」（段落【０２５３】）
ｃ　図４及び図５は次のとおりである。
（イ）以上を踏まえ、まず、「カメラストロボ」の意義について検討する。
ａ　本願の明細書には「カメラストロボ」の定義は記載されていないところ、「カメラストロボ」との用語の意義は、その文言に照らせば、カメラ用のストロボを意味するものと解される。なお、「カメラストロボ」との用語が、カメラ用のストロボという意義よりもさらに限定された意義を有するとの特段の技術常識の存在は認められない。
　そこで、本願発明の「カメラストロボ」をカメラ用のストロボと解することの妥当性について、本願の明細書の記載を踏まえて検討する。
ｂ　上記（ア）ａの各記載によれば、「カメラストロボ」の一実施形態である「カメラストロボ９２」は、次のとおりのものであると認められる。
（ａ）カメラストロボ９２は、縦長の直方体の形状を有する筐体の一側面に、カメラ９１およびタッチパネルモニタ９３とともに設けられているとともに、カメラ９１およびカメラストロボ９２の周囲には、それらを囲うような額縁状のカバー９４が設けられ、また、カメラ９１、カメラストロボ９２およびタッチパネルモニタ９３によって撮影・表示ユニット８１が構成されていること（段落【００６５】）。
（ｂ）カメラストロボ９２は、発光面を構成するアクリル板と、その背後に設けられる蛍光灯等の照明装置（カメラ上蛍光灯９７Ｕおよびカメラ下蛍光灯９７Ｄ）とから構成されること（段落【００５２】・【００６７】）。
（ｃ）カメラストロボ９２は、カメラ９１の背面側に設けられていること（段落【００５２】・【００６７】）。
（ｄ）カメラストロボ９２は、他のストロボと同様にカメラ９１による撮影に合わせて発光すること（段落【００５２】）。
（ｅ）カメラストロボ９２の構成要素であるアクリル板９５、カメラ上蛍光灯９７Ｕ及びカメラ下蛍光灯９７Ｄは、カメラ９１と一体に構成されており、カメラ９１とともに上下方向に駆動すること（段落【００６６】・【００６７】）。
（ｆ）カメラストロボ９２では、カメラ９１の上下方向の位置に応じて露出する部分が発光面となり、すなわち、カメラストロボ９２は、下カメラの状態となるとき、カメラ９１がカバー９４の開口部の下端に位置するので、被写体としての利用者の顔付近をカメラ９１の上方から照射し、上カメラの状態となるとき、カメラ９１がカバー９４の開口部の上端に位置するので、同付近をカメラ９１の下方から照射すること（段落【００５２】・【００６８】・【００６９】）。
ｃ　上記ｂにおいて、（ｄ）の事項は、「カメラストロボ」を上記ａのとおり解することと整合しているといえる。
　他方、（ａ）・（ｂ）・（ｃ）・（ｅ）・（ｆ）の各事項は、「カメラストロボ」を上記ａのとおり解した内容よりもさらなる限定を含むものであるが、その限定を、「カメラストロボ」との文言及び本願発明の特定事項の文言から導き出せるということはできない。
　そして、本願の明細書には、「カメラストロボ」の意義を上記ａのとおり解することと特段矛盾する記載は見当たらない。
ｄ　以上によれば、「カメラストロボ」は、上記ａのとおり、カメラ用のストロボと解するのが相当である。
（ウ）次に、本願発明において、利用者の顔付近を照射するストロボが「カメラ部とともに１つの筐体内に設けられ」た「カメラストロボ」である技術的意義について検討する。
ａ　上記（イ）ｂの各事項からすると、実施形態におけるカメラストロボ９２は、発光面を構成するアクリル板９５と、その背後に設けられる蛍光灯等の照明装置（カメラ上蛍光灯９７Ｕおよびカメラ下蛍光灯９７Ｄ）とから構成されるものであるとともに、カメラ９１の背面側に、カメラ９１と一体となって筐体の一側面に設けられているものであって、カメラ９１、カメラストロボ９２、およびタッチパネルモニタ９３によって撮影・表示ユニット８１を構成するものであるところ、カメラ９１の上下駆動に伴って、カメラストロボ９２も上下駆動することにより、上カメラ及び下カメラのいずれの状態であっても、被写体としての利用者の顔付近を照射することができるものと認められる。
　そうすると、上記実施形態において、利用者の顔付近を照射するストロボが、カメラ部とともに１つの筐体内に設けられたカメラストロボである技術的意義としては、図５（上記（ア）ｃ）をも踏まえると、カメラストロボが発光面を構成するアクリル板９５を含むとともにカメラ部の背面側に設けられたことに伴う装置としての機能性・収納性の向上や、一体的に駆動する機構をユニット化することに伴う取り扱いの容易性などが考えられる。
ｂ　しかしながら、本願の明細書には、上記ａで述べた技術的意義の内容について明記するところはない上、本願発明の特定事項には、筐体内の駆動機構の存在、カメラストロボの具体的構成並びに筐体内におけるカメラとカメラストロボとの位置関係及び機構的関係などについて何ら特定していない。
　そうすると、本願発明における、利用者の顔付近を照射するストロボが「カメラ部とともに１つの筐体内に設けられ」た「カメラストロボ」である技術的意義としては、単なるユニット化以上の格別なものがあるとはいえない。
（エ）最後に、利用者の足元を照射する足元ストロボが「前記筐体の下方に設けられ」ている技術的意義について検討する。
ａ　上記（ア）ｂの各記載及び図４（上記（ア）ｃ）によれば、足元ストロボについて次のことが認められる。
（ａ）足元ストロボ８６は、撮影部２１を構成する箱形の形状を有するベース部４３に設けられていること（段落【００４８】・【００５６】）。
（ｂ）足元ストロボ８６は、撮影・表示ユニット８１を構成する筐体の下方に設けられていること（図４）。
（ｃ）足元ストロボ８６は、利用者の足元を照射すること（段落【００５６】）。
（ｄ）足元ストロボ８６は、カメラ本体の焦点距離がズームインするように調整されて撮影が行われる場合、発光させないが、カメラ本体の焦点距離がズームアウトするように調整されて撮影が行われる場合、発光させるものであること（段落【００１３】・【００１８】・【０２５２】・【０２５３】）。
ｂ　上記ａの各事項によれば、「足元ストロボ」は利用者の足元を照射するものであって、それがゆえに、下方に設けられているものと解される。
　しかしながら、そのことを超えて、「足元ストロボ」を「筐体の下方に設け」ることによる格別な技術的意義を見いだすことができない。
イ　上記アの検討を踏まえ、［相違点１］の容易想到性について判断する。
　機能的に関連する複数の部位を１つの筐体内に設けることは、いわゆるユニット化として、慣用されている技術であり、そのことは、本願発明の属する技術分野においても、本願の明細書（段落【０００７】）に先行技術文献として提示された、同一出願人の出願に係る特開２００９−１６９２０６号公報（段落【００３８】・【００４０】・図４〜図６）に、カメラ５１とストロボユニット５２を備えた前方ユニット１１Ａについて示されているとおりである。
　そして、引用発明には、光源として、下方に設けられていない、被写体のバストアップを照明する「前部光源」と、主に被写体の下部を照明する「下方に設けられている前部光源」とが少なくとも備わっているところ、これらの光源をどのように設けるのかは、当業者が実施に当たり適宜設計し得る事項であるといえる。
　そうすると、引用発明における前部光源のうち下方に設けられていないものを、撮影装置（本願発明の「カメラ部」に相当。）とともに１つの筐体内に設けることは上記慣用技術に照らして当業者が適宜設計し得たことであり、その際、「下方に設けられている前部光源」（本願発明の「足元ストロボ」に相当。）をその筐体の下方に設けることも当業者が適宜設計し得たことである。
（２）［相違点２］について
ア　本願発明の属する技術分野において、利用者の利便性を図ることは例示するまでもなく周知の課題であると認められる。
　そして、引用例２には、上記３（２）イのとおり、従来のフォトブースでは、使用者がちょうどよい撮影ポジションへ体を移動させる必要があり、撮影が非常に面倒であったため、使用者が自身の意思により撮影範囲を選択することが可能とし、例えば、カメラをズームインさせて使用者の顔をズームアップさせた画像を撮影したり、また、カメラをズームアウトさせて使用者の全身の姿を撮影したりするようにしたものが記載されている。
　他方、引用発明は、全身撮影を行うときには、被写体は、撮影装置から離れた位置に立ち、バストアップ撮影を行うときには、被写体は、撮影装置に近い位置に立つものである。
　そうすると、引用発明において、利用者の利便性を図るべく、引用例２に記載された技術的事項を参酌して、撮影装置（本願発明の「カメラ部」に相当。）について、全身撮影を行う場合はズームアウトさせるとともに、バストアップ撮影を行うときはズームインさせるようにすることは当業者が容易に想到できたことである。
イ　そして、撮影装置をズームイン及びズームアウトさせる際の具体的手法は、当業者が実施に当たり適宜設計し得ることであるところ、当該手法として、ズームリングとモータとを用いることは周知技術である（例えば、原査定の拒絶の理由で提示された特開平５−１００１４３号公報の段落【０００４】・図１のほか、登録実用新案第３１４０６９０号公報の段落【００１９】・図１を参照。）。
ウ　以上によれば、引用発明において、上記［相違点２］に係る構成となすことに、格別の困難性があるとはいえない。
（３）本願発明の作用効果について
　本願発明の作用効果は、上記（１）アの検討にも照らせば、引用発明、引用例２に記載された事項、上記慣用技術及び上記周知技術に比して、格別のものとはいえない。
（４）小括
　したがって、本願発明は、引用発明、引用例２に記載された事項、上記慣用技術及び上記周知技術に基づいて当業者が容易に発明をすることができたものである。
６　むすび
　以上のとおり、本願発明は、特許法第２９条第２項の規定により特許を受けることができないから、他の請求項に係る発明について検討するまでもなく、本願は拒絶されるべきものである。
　よって、結論のとおり審決する。